(57)【要約】【課題】間仕切りパネルによって仕切られる部屋空間の出入口に設けられる引戸装置であって、開閉操作が軽くて、又汚れが付き難く、何時までも古めかしくならない木製の引戸装置の提供。【解決手段】上レール９に吊設されて開閉する引戸１はペーパーコア６の両面に木質板７から成る表面材を貼り合わせ、引戸１が閉じた際に当る戸当り２、戸袋の戸袋木口桟３、間口の上木口桟５、さらに点検パネル４を木質板で構成し、そして表面には樹液を主成分とした塗料を塗布している。【選択図】        図１
2004176439.tif 000002
【特許請求の範囲】
【請求項１】
間仕切りパネルによって仕切られた部屋空間の出入口に設けられる引戸装置において、上レールに吊設されて開閉する引戸はペーパーコアなどの芯材の両側には木質板から成る表面材を貼着し、そして引戸が閉じた際に当る戸当り、及び戸袋の戸袋木口桟、間口の上木口桟、さらに点検パネルを木質材としたことを特徴とする木製引戸装置。
【請求項２】
上記戸当りは下地枠体から延びる金具に連結した縦桟に、該縦桟側からネジ止めした請求項１記載の木製引戸装置。
【請求項３】
上記戸袋木口桟は戸袋を構成するパネルの表面材側端に設けられる止着片に固定した金具に取付けた請求項１、又は請求項２記載の木製引戸装置。
【請求項４】
上記点検パネルは間口上部に取着したツメに係止して取付けた請求項１、請求項２、又は請求項３記載の木製引戸装置。
【請求項５】
上記上木口桟を上レールが取付けられる基板の下端に取着した金具にネジ止めした請求項１、請求項２、請求項３、又は請求項４記載の木製引戸装置。
【請求項６】
上記引戸表面、戸当り、戸袋木口桟、点検パネル、上木口桟の表面に樹液を主成分として接着剤を混入した塗料を塗布した請求項１、請求項２、請求項３、請求項４、又は請求項５記載の木製引戸装置。
【発明の詳細な説明】
【０００１】
【発明の属する技術分野】
本発明は変色し難く、汚れ難く、又汚れが落とし易いように、保護膜を形成する塗料を塗布した木製の引戸装置に関するものである。
【０００２】
【従来の技術】
図５は従来の一般的な引戸装置を示している正面図であり、図６は横断面拡大図（Ａ−Ａ断面拡大図）を表している。引戸（イ）には窓ガラス（ロ）が設けられているが、ペーパーコア（ハ）を芯材として両面には金属製の表面材（ニ）、（ニ）が貼着されている。そして、該引戸（イ）は吊車を介して上レールに吊設されて開閉することが出来、該引戸（イ）を開くならば戸袋（ホ）に収納される。そして、手で押し開いた引戸は僅かに傾斜する上レールに沿って独りでに閉じることが出来るように構成している。
【０００３】
上記戸袋（ホ）は金属製のパネル（ヘ）、（ヘ）を所定の間隔をおいて並設して構成され、引戸（イ）が閉じた際に当る戸当り（ト）も金属製となっている。このように、従来の引戸装置は一般に金属製であり、金属製パネルから成る間仕切りにて仕切られた部屋の空間の出入り口として金属製引戸装置を使用する場合、温かみが無く、殺風景なオフィス空間となる。
【０００４】
オフィス空間であるならば、金属製間仕切り及び該間仕切りに備える引戸装置が金属製であっても大きな違和感はないが、学校や老人ホーム、又は病院などでは、木製の引戸装置の方が好ましく思われる。しかし、木製の引戸装置とする場合、汚れ易く、しかも付着した汚れを拭き取ることが容易でない。そして、紫外線が長期間にわたって当ることで黒く変色してしまい、外観が古臭く成ってしまうといった問題が発生する。
【０００５】
一方、引戸装置を木製とすることで、その構造は金属製引戸装置とは異なり、構成部材の組み付け形態や装置全体の外観も違ってくる。汚れ防止や変色防止などの対策を講じることは必要であるが、戸当り、戸袋木口桟、点検パネルなど木製引戸装置特有の取付け構造が必要となる。
【０００６】
【発明が解決しようとする課題】
このように、従来の引戸装置には上記のごとき問題がある。本発明が解決しようとする課題はこれら問題点であり、軽くて開閉操作がし易く、又汚れが付き難くて何時までも古めかしくならない木製の引戸装置を提供する。
【０００７】
【課題を解決する為の手段】
本発明に係る引戸装置は木質で構成され、引戸はペーパーコアの両面に表面材として木質板が貼着され、又戸先も木質と成っている。該木質戸先は引戸に設けている枠体に固定されている。そして出入口の周囲には木質部材が取付けられ、戸当り、戸袋木口桟、点検パネル、上木口桟は木質で構成され、木製の引戸装置が構成される。
【０００８】
ところで、戸当りは下地枠体から延びる金具と連結する縦桟にネジ止めされ、又戸袋木口桟は戸袋を構成するパネルに金具を介してネジ止めされ、及び上木口桟は上レールを取着する基板に固定した金具を介してネジ止めされる。そして、本発明では木製引戸、木製戸当り、木製戸袋木口桟及び点検パネルが汚れ難い塗料が表面に塗布される。該塗料は樹液を主成分としたもので、耐光性があって紫外線による変色を抑制することが出来ると共に、脱臭効果、防虫効果などを備えている。以下、本発明に係る実施例を図面に基づいて詳細に説明する。
【０００９】
【実施例】
図１、図２は本発明に係る引戸装置を示す横断面図と縦断面図を表している。同図の１は引戸、２は戸当り、３は戸袋木口桟、４は点検パネル、５は上木口桟を夫々示している。引戸１は芯材としてペーパーコア６が使用されて、その両面には木質板７，７が表面材として貼着されている。引戸１は上端に吊車８が取着され、該吊車８は上レール９に載って転動することで引戸１は開閉することが出来る。
【００１０】
ここで、上レール９は下地枠体の下地上桟１０から垂下するボルト１１の下端に固定されている基板１２にネジ止めにて取着されている。上レール９は戸先側が僅かに低く傾斜していて、手で押し開いた引戸１はその自重によって独りでに閉じることが出来るが、戸当り２に衝撃を伴って当らないように、すなわち、ゆっくり閉じることが出来るようにダンパーが取付けられている。引戸先端には木質の引戸木口１３が取着され、この引戸木口１３にはゴム片を止着して戸当り２に当る際の衝撃を緩和することが出来る。
【００１１】
一方、戸当り２は木質で構成され、下地枠体の下地縦桟１４から水平に延びたボルト先端の金具１５を縦桟１６と連結し、該縦桟１６の背面側からネジ止めされている。ここで、本発明の引戸装置が装着される下地枠体は、図３に示すように左右に下地縦桟１４，１４が起立すると共に、上端には下地上桟１０が水平に据付られて構成され、この下地縦桟１４に取着されている金具１５，１５・・に縦桟１６が連結されている。同じく下地上桟１０から垂下するボルト１１，１１・・の下端には基板１２が固定されている。
【００１２】
そして図１、図２に示すように、下地枠体の両面側にパネル１７，１７・・が取着されて仕切られる部屋空間の壁面となり、該パネル１７，１７・・によって戸袋が構成されている。又パネル１７，１７・・によって形成された出入口には上記戸当り２及び戸袋木口桟３，３が取着され、さらに図２に示す上木口桟５が出入口上部に取着されている。
【００１３】
木質の戸袋木口桟３，３は、該戸袋を構成するパネル側端の止着片に固定したＬ型金具１８，１８にネジ止めされて取付けられている。そして上木口桟５は上レール９が取着されている基板１２の下端に固定したＬ型金具にネジ止めされている。
【００１４】
一方、引戸１が吊設される上レール９及び該上レール９に載って転動する吊車、又引戸１が静かに閉じるようにダンパーが出入口上方の空間に収納されているが、この空間を閉じる為に点検パネル４が取付けられている。本発明では、該点検パネル４を木製とし、しかも図４に示しているように上方へ延びた戸当り２及び戸袋木口桟３にツメ１９，１９が取着されている。そして該ツメ１９，１９に点検パネル４の両側に固定しているコ型断面のツメ受け２０，２０が上記ツメ１９，１９に係止して取付けられている。
【００１５】
ところで、本発明は引戸１、戸当り２、戸袋木口桟３、上木口桟５、及び点検パネル４は木質材で構成されている為に汚れ易く、しかも一旦汚れが付着するならば落とし難い。そこで、本発明では、汚れが付着し難い共に、付着した汚れを落とし易くする為に保護膜を形成している。
【００１６】
上記保護膜は樹液が約９９％で、これに約１％の接着剤を混入した塗料を木質材の表面に塗布される。その結果、木質材表面は変色し難く、防腐・防カビ・消臭効果があり、そして人には森林浴効果をもたらす。上記樹液の種類により森林浴効果は色々であるが、本発明では具体的な樹液の種類は限定しないことにする。
【００１７】
樹液を主成分とした塗料を木質材表面に塗布するならば、該木質材表面に含浸して丈夫な保護膜が形成される。従って、木質面が表面化した引戸や戸当り、及び戸袋木口桟は何時までも美しい木質外観を維持することが出来る。しかも、この塗料は引戸や戸当り、戸袋木口桟等に限定することなく、間仕切りを構成するクロス貼りパネルに該塗料を塗布することも出来る。
【００１８】
さらに、木質材に限らず、石膏ボード、壁紙、ふすま紙、クロスなどにも適用することが出来、これらの表面に保護膜が形成されて、変色防止、汚れの付着防止を図ることも可能となる。
【００１９】
以上述べたように、本発明に係る引戸装置はその全体又は一部に構成部品として木質材を使用し、該木質材の表面には保護膜を形成したものであり、次のような効果を得ることが出来る。
【００２０】
【発明の効果】
本発明の引戸装置は表面化する大部分の部品が木質材で構成され、その為に金属製引戸に比較して部屋の雰囲気が落ち着いて温もりが得られる。そして木質材である為に金属製引戸に比べて軽く成って開閉操作が容易であり、一方では消臭効果があり、病院や老人ホームなどの部屋の出入口には適している。
【００２１】
そして、本発明では木質材の表面に塗料が塗布されて保護膜が形成される。該塗料は樹液を主成分として僅かに接着剤を混合したものであり、表面に塗布された該塗料は木質材に含浸して丈夫な保護膜が出来る。該保護膜は引戸装置の変色を防止し、防腐・防カビ効果があり、さらに樹液を主成分としている為に消臭効果と森林浴効果が得られる。
【図面の簡単な説明】
【図１】本発明に係る引戸装置の横断面図。
【図２】本発明に係る引戸装置の縦断面図。
【図３】引戸装置が据付けられる下地枠体。
【図４】点検パネルの取付け構造。
【図５】従来の引戸装置の外観図。
【図６】従来の引戸装置の横断面図。
【符号の説明】
１  引戸
２  戸当り
３  戸袋木口桟
４  点検パネル
５  上木口桟
６  ペーパーコア
７  木質板
８  吊車
９  上レール
１０  下地上桟
１１  ボルト
１２  基板
１３  引戸木口
１４  下地縦桟
１５  金具
１６  縦桟
１７  パネル
１８  Ｌ型金具
１９  ツメ
２０  ツメ受け
【図１】
2004176439.tif 000003
【図２】
2004176439.tif 000004
【図３】
2004176439.tif 000005
【図４】
2004176439.tif 000006
【図５】
2004176439.tif 000007
【図６】
2004176439.tif 000008